(57)【要約】      （修正有）【課題】滑り易い表面を有する合成樹脂管であっても適切な配管抱持による支持が可能な配管支持具を提供する。【解決手段】配管を抱持するバンド抱持部１１と、バンド抱持部の上端部にバンド端部１２と、を有し、バンド端部に、タンバックルの如き接続部材を接続することにより、配管の固定支持が可能な配管支持具１において、バンド抱持部に抱持される配管の外周面に当接して押圧支持する配管押圧支持部１３が、バンド抱持部の４箇所に設けられており、配管押圧支持部は、バンド抱持部の一部を円周方向に延伸するように内側に向かって切起して形成されており、しかも、この円周方向の４箇所の切起しが、２つの相対向する向きとなる構成であり、且つ円周方向の方向線に対して５〜３０度の傾きを有している構成である。【選択図】図１
2017032042.tif 000002
【特許請求の範囲】
【請求項１】
配管を抱持するバンド抱持部と、該バンド抱持部の上端部にバンド端部と、を有し、
前記バンド端部に、タンバックルの如き接続部材を接続することにより、配管の固定支持が可能な配管支持具において、
前記バンド抱持部に抱持される配管の外周面に当接して押圧支持する配管押圧支持部が、該バンド抱持部の４箇所に設けられており、
該配管押圧支持部は、前記バンド抱持部の一部を円周方向に延伸するように内側に向かって切起して形成されており、
しかも、この円周方向の４箇所の切起しが、２つの相対向する向きとなる構成であり、且つ円周方向の方向線に対して５〜３０度の傾きを有している構成であること、
を特徴とする配管支持具。
【請求項２】
前記バンド抱持部が、弾性又は可撓性を有する１本の帯状バンド体を環状に彎曲させた構成であり、この１本の帯状バンド体の両端部に前記バンド端部が連設された構成であることを特徴とする請求項１に記載の配管吊下支持具。
【請求項３】
前記バンド抱持部が、２つの略半円状部材を組み合わせた構成であり、この２つの略半円状部材の上端部に前記バンド端部が連設されると共に、下端部を組式又は蝶番式の接続部により拡開可能に接続された構成であることを特徴とする請求項１に記載の配管吊下支持具。
【請求項４】
前記配管押圧支持部が、当接する配管の外周面の曲面に対応する曲面加工部を有して配管の外周面に面接触によって押圧支持する構成であることを特徴とする請求項１〜３のいずれかに記載の配管吊下支持具。
【請求項５】
前記配管押圧支持部が、波状又はジグザグ状に折曲加工された折曲加工部を有し、この折曲加工部が配管の外周面に複数の当接箇所によって押圧支持する構成であることを特徴とする請求項１〜３のいずれかに記載の配管吊下支持具。
【請求項６】
前記配管押圧支持部が、該配管押圧支持部の先端が配管側に折曲加工された先端折曲部を有し、この先端折曲部が配管の外周面に引掛け又は食込み接触することによって押圧支持する構成であることを特徴とする請求項１〜３のいずれかに記載の配管吊下支持具。
【請求項７】
前記先端折曲部が、配管押圧支持部の表面に重積するように折曲加工された重積折曲部を有し、この重積折曲部が配管押圧を行う構成であることを特徴とする請求項６に記載の配管吊下支持具。
【請求項８】
前記配管押圧支持部が、切起した両側端が配管外周面側に湾曲加工された湾曲加工部を有し、この湾曲加工部の両端部が配管の外周面に引掛け又は食込み接触することによって押圧支持する構成であることを特徴とする請求項１〜３のいずれかに記載の配管吊下支持具。
【請求項９】
前記配管押圧支持部が、切起した両側端が配管側に折曲加工された両側折曲部を有し、この両側折曲部が配管の外周面に引掛け又は食込み接触することによって押圧支持する構成であることを特徴とする請求項１〜３のいずれかに記載の配管吊下支持具。
【請求項１０】
前記配管押圧支持部が、切起した両側端が直線又は曲線であることを特徴とする請求項１〜９のいずれかに記載の配管吊下支持具。
【発明の詳細な説明】
【技術分野】
【０００１】
本発明は配管支持具に関し、詳しくは合成樹脂製配管の抱持支持に用いて適切な配管支持具に関する。
【背景技術】
【０００２】
給水管、給湯管、排水管等の種々配管類を吊下支持或いは立て管支持するために抱持バンドを有する配管支持具が用いられている（例えば、特許文献１等参照）。
【０００３】
この種の配管支持具は、半割状の環状部材から成るバンド部と該バンド部の端部に連設された接続部にタンバックルを接続固定し、このタンバックルを天井スラブ等から垂設された吊りボルトや壁面スラブ等から立設された立ちボルトに緊締することにより固定支持する構成を有している。
【先行技術文献】
【特許文献】
【０００４】
【特許文献１】特開平０９−１２６２１６号
【発明の概要】
【発明が解決しようとする課題】
【０００５】
種々の配管類は、近年、鋼管に代わって合成樹脂管（ポリエチレン管、架橋ポリエチレン管、ポリブデン管、塩化ビニル管、プロピレン管、ＡＢＳ管等）が用いられるようになってきている。
【０００６】
合成樹脂管は、耐蝕性や取扱性等の点で鋼管に比して優れている点もあるが、表面が滑り易いために配管支持具による抱持性に問題がある。即ち、ウォーターハンマー現象等の振動によって軸方向に滑って位置ズレを起し易く、経時的には複数の配管同士の接続部に負荷が掛かってしまうおそれを有している。
【０００７】
そこで本発明の課題は、滑り易い表面を有する合成樹脂管であっても適切な配管抱持による支持が可能な配管支持具を提供することにある。
【課題を解決するための手段】
【０００８】
上記課題を解決する本発明は下記構成を有する。
【０００９】
１．配管を抱持するバンド抱持部と、該バンド抱持部の上端部にバンド端部と、を有し、
前記バンド端部に、タンバックルの如き接続部材を接続することにより、配管の固定支持が可能な配管支持具において、
前記バンド抱持部に抱持される配管の外周面に当接して押圧支持する配管押圧支持部が、該バンド抱持部の４箇所に設けられており、
該配管押圧支持部は、前記バンド抱持部の一部を円周方向に延伸するように内側に向かって切起して形成されており、
しかも、この円周方向の４箇所の切起しが、２つの相対向する向きとなる構成であり、且つ円周方向の方向線に対して５〜３０度の傾きを有している構成であること、
を特徴とする配管支持具。
【００１０】
２．前記バンド抱持部が、弾性又は可撓性を有する１本の帯状バンド体を環状に彎曲させた構成であり、この１本の帯状バンド体の両端部に前記バンド端部が連設された構成であることを特徴とする上記１に記載の配管吊下支持具。
【００１１】
３．前記バンド抱持部が、２つの略半円状部材を組み合わせた構成であり、この２つの略半円状部材の上端部に前記バンド端部が連設されると共に、下端部を組式又は蝶番式の接続部により拡開可能に接続された構成であることを特徴とする上記１に記載の配管吊下支持具。
【００１２】
４．前記配管押圧支持部が、当接する配管の外周面の曲面に対応する曲面加工部を有して配管の外周面に面接触によって押圧支持する構成であることを特徴とする上記１〜３のいずれかに記載の配管吊下支持具。
【００１３】
５．前記配管押圧支持部が、波状又はジグザグ状に折曲加工された折曲加工部を有し、この折曲加工部が配管の外周面に複数の当接箇所によって押圧支持する構成であることを特徴とする上記１〜３のいずれかに記載の配管吊下支持具。
【００１４】
６．前記配管押圧支持部が、該配管押圧支持部の先端が配管側に折曲加工された先端折曲部を有し、この先端折曲部が配管の外周面に引掛け又は食込み接触することによって押圧支持する構成であることを特徴とする上記１〜３のいずれかに記載の配管吊下支持具。
【００１５】
７．前記先端折曲部が、配管押圧支持部の表面に重積するように折曲加工された重積折曲部を有し、この重積折曲部が配管押圧を行う構成であることを特徴とする上記６に記載の配管吊下支持具。
【００１６】
８．前記配管押圧支持部が、切起した両側端が配管外周面側に湾曲加工された湾曲加工部を有し、この湾曲加工部の両端部が配管の外周面に引掛け又は食込み接触することによって押圧支持する構成であることを特徴とする上記１〜３のいずれかに記載の配管吊下支持具。
【００１７】
９．前記配管押圧支持部が、切起した両側端が配管側に折曲加工された両側折曲部を有し、この両側折曲部が配管の外周面に引掛け又は食込み接触することによって押圧支持する構成であることを特徴とする上記１〜３のいずれかに記載の配管吊下支持具。
【００１８】
１０．前記配管押圧支持部が、切起した両側端が直線又は曲線であることを特徴とする上記１〜９のいずれかに記載の配管吊下支持具。
【発明の効果】
【００１９】
請求項１に示す発明によれば、滑り易い表面を有する合成樹脂管であっても適切な配管抱持による支持が可能な配管支持具を提供することができる。
【００２０】
特に、バンド抱持部の内側に切起こされた配管押圧支持部が４箇所形成されているので、該バンド抱持部に抱持支持する配管をその外周面を押圧することによって確実に安定した状態での抱持支持が可能となる。
また、切起し形成された配管押圧支持部が、隣接する該配管押圧支持部同士の切起し方向が反対向きとなる構成によって、配管軸方向への位置ズレ防止効果に加えて円周方向への位置ズレ効果をも有する。
更に、ウォーターハンマー現象発生時等の配管軸方向における配管の振動に対する緩衝性を発揮した状態で押圧支持することができる。
しかも、配管押圧支持部は、バンド抱持部の一部を切り起こすだけで加工可能であるため、別部材を付加することもないし、切り取り加工等によって廃棄が必要となる部材も生じることもなく、低コスト化が可能なだけでなく、環境適正にも優れている。
【００２１】
請求項２に示す発明によれば、いわゆる提灯式の配管支持バンドと呼ばれる簡易な構成の配管支持バンドを基本構成とすることにより単価を下げることができるので低コスト化が可能である。
【００２２】
請求項３に示す発明によれば、組式又は蝶番式の接続部を有する一般的な構成の配管支持バンドに容易に適用することが可能である。
【００２３】
請求項４に示す発明によれば、配管の外周面に対して配管押圧支持部の曲面加工部の略全面を接触させることができるので接触面積が大きくなり押圧支持効果を向上させることができる。
【００２４】
請求項５に示す発明によれば、配管の外周面に対して配管押圧支持部の折曲加工部が引っ掛かるように押圧当接することになるので押圧支持効果を向上させることができる。
【００２５】
請求項６に示す発明によれば、配管の外周面に対して配管押圧支持部の先端折曲部が引っ掛かるように又は食込むように押圧当接することになるので押圧支持効果を向上させることができる。
【００２６】
請求項７に示す発明によれば、上記請求項６に示す発明に比べ、押圧当接時の配管への負荷を軽減させることができる。
【００２７】
請求項８に示す発明によれば、配管の外周面に対して配管押圧支持部の両側端辺部が引っ掛かるように又は食込むように押圧当接することになるので押圧支持効果を向上させることができる。
【００２８】
請求項９に示す発明によれば、配管の外周面に対して配管押圧支持部の両側折曲部が引っ掛かるように又は食込むように押圧当接することになるので押圧支持効果を向上させることができる。
【００２９】
請求項１０に示す発明によれば、配管押圧支持部の切起した両側端を直線とした場合に比して曲線とした場合は該配管押圧支持部の撓み性がより大きくなるので、抱持する配管内を通過する液体の種類や流量、或いは通液条件（常時流れているのか、断続的に流れるのか等）に応じて直線と曲線を選択することが有効である。
【図面の簡単な説明】
【００３０】
【図１】本発明に係る配管支持具の一実施例を示す５面図（正面図、平面図、底面図、左側面図、Ａ−Ａ断面図）
【図２】配管押圧支持部の一例を示す要部拡大断面図（断面線は円周方向）
【図３】配管押圧支持部の他の一例を示す要部拡大断面図（断面線は円周方向）
【図４】配管押圧支持部の他の一例を示す要部拡大断面図（断面線は円周方向）
【図５】配管押圧支持部の他の一例を示す要部拡大断面図（断面線は円周方向）
【図６】配管押圧支持部の他の一例を示す要部拡大端面図（端面線は配管軸方向）
【図７】配管押圧支持部の他の一例を示す要部拡大端面図（端面線は配管軸方向）
【図８】配管押圧支持部の他の一例を示す要部拡大左側面図
【発明を実施するための形態】
【００３１】
次に、添付の図面に従って本発明について詳細に説明する。
【００３２】
本発明に係る配管支持具は、給水管、給湯管、排水管等の種々配管類を吊下支持或いは立て管支持するものであり、配管を抱持するバンド抱持部の上端部に連設されたバンド端部にタンバックル等の接続部材を接続し、このタンバックルを天井スラブ等から垂設された吊りボルトや壁面スラブ等から立設された立ちボルトに緊締することにより固定支持するものである。
【００３３】
抱持支持する種々の配管類としては、従来一般的であった鋼管は勿論のこと、この鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。
【００３４】
本発明の配管支持具１の具体的構成例としては、図１に示すように、
配管支持具１は、配管（図示を省略）を抱持するバンド抱持部１１と、該バンド抱持部１１の上端部にバンド端部１２と、を有し、
前記バンド端部１２に、タンバックルの如き接続部材（図示を省略）を接続することにより、配管の固定支持が可能な構成において、
前記バンド抱持部１１に抱持される配管の外周面に当接して押圧支持する配管押圧支持部１３が、該バンド抱持部１１の４箇所に設けられており、
該配管押圧支持部１３（１３Ａ・１３Ｂ・１３Ｃ・１３Ｄ）は、前記バンド抱持部１１の一部を円周方向に延伸するように内側に向かって切起して形成されており、
しかも、この円周方向の４箇所の切起しが、２つの相対向する向きとなる構成であり、且つ円周方向の方向線に対して５〜３０度（本実施例では約１５度）の傾きを有している構成となっている。即ち、４箇所の配管押圧支持部１３Ａ・１３Ｂ・１３Ｃ・１３Ｄのうち、１３Ａと１３Ｃが、１３Ｂと１３Ｄが、相対向する向きとなる構成であり、更に４箇所の配管押圧支持部１３Ａ・１３Ｂ・１３Ｃ・１３Ｄが斜めに切起こされた構成である。
【００３５】
図１に示す本実施例では、前記バンド抱持部１１は、弾性又は可撓性を有する１本の帯状バンド体を環状に彎曲させただけの構成によって、最下部に接続部の無い、いわゆる提灯式の配管支持バンドと呼ばれる簡易な構成の配管支持バンドを基本構成としている。基本構成を提灯式とすることによって、バンド抱持部１１の最下部に接続部を有する一般的な構成の配管支持バンドに比して、より単価を下げることができるので低コスト化が可能である。
【００３６】
尚、図１に示す符号１１Ａ・１１Ｂ・１１Ｃ・１１Ｄは、配管押圧支持部１３（１３Ａ・１３Ｂ・１３Ｃ・１３Ｄ）が切り起こされることで孔部となったバンド抱持部１１の被切起し孔部である。尚また、図１に示す符号２は、バンド端部１２をタンバックル等の接続部材と接続固定する際に緊締するボルト・ナットである。
【００３７】
以上の構成を有する本発明の配管支持具１は、バンド抱持部１１の内側に切起こされた配管押圧支持部１３（１３Ａ・１３Ｂ・１３Ｃ・１３Ｄ）が４箇所形成されているので、該バンド抱持部１１に抱持支持する配管をその外周面を押圧することによって確実に安定した状態での抱持支持が可能となる。
また、切起し形成された配管押圧支持部１３（１３Ａ・１３Ｂ・１３Ｃ・１３Ｄ）の切起しが、２つの相対向する向きとなる構成によって、配管軸方向への位置ズレ防止効果に加えて円周方向への位置ズレ効果をも有する。
更に、配管押圧支持部１３（１３Ａ・１３Ｂ・１３Ｃ・１３Ｄ）が円周方向の方向線に対して５〜３０度、好ましくは１５〜２０度の傾きを有して切起す構成によって、ウォーターハンマー現象発生時等の配管軸方向における配管の振動に対する緩衝性を発揮した状態で押圧支持することができる。
しかも、配管押圧支持部１３（１３Ａ・１３Ｂ・１３Ｃ・１３Ｄ）は、バンド抱持部１１の一部を切り起こすだけで加工可能であるため、別部材を付加することもないし、切り取り加工等によって廃棄が必要となる部材も生じることもなく、低コスト化が可能なだけでなく、環境適正にも優れている。
【００３８】
以上、本発明に係る配管支持具について説明したが、本発明は上記実施例に限定されず、本発明の範囲内において種々の他の態様を採ることもできる。
【００３９】
例えば、バンド抱持部１１の基本構成は、上記実施例では一本の帯状バンド体から成るいわゆる提灯式の構成であるが、バンド抱持部が２つの略半円状部材を組み合わせた構成であり、この２つの略半円状部材の上端部に前記バンド端部が連設されると共に、下端部を組式又は蝶番式の接続部により拡開可能に接続された構成、即ち、一般的な配管支持バンド構成を基本構成とすることもできる。
【００４０】
また、配管押圧支持部１３は、上記実施例ではバンド抱持部１１を切起したままの形状、即ち、バンド抱持部１１の環状曲線と同じ円弧形状であるが、例えば、図２に示すように、当接する配管の外周面の曲面に対応する曲面加工部１３Ｅを有して配管の外周面に面接触によって押圧支持する構成とすることも好ましい。かかる構成によれば、配管の外周面に対して配管押圧支持部１３の曲面加工部１３Ｅの略全面を接触させることができるので接触面積が大きくなり押圧支持効果を向上させることができる。
【００４１】
更に、配管押圧支持部１３の別なる構成として、図３に示すように、波状又はジグザグ状に折曲加工された折曲加工部１３Ｆが配管の外周面に複数の当接箇所によって押圧支持する構成とすることも好ましい。かかる構成によれば、配管の外周面に対して配管押圧支持部１３の折曲加工部１３Ｆが引っ掛かるように押圧当接することになるので押圧支持効果を向上させることができる。
【００４２】
更に、図４に示すように、配管押圧支持部１３の先端が配管側に折曲加工された先端折曲部１３Ｇを有し、この先端折曲部１３Ｇが配管の外周面に引掛け又は食込み接触することによって押圧支持する構成とすることも好ましい。かかる構成によれば、配管の外周面に対して配管押圧支持部１３の先端折曲部１３Ｇが引っ掛かるように又は食込むように押圧当接することになるので押圧支持効果を向上させることができる。
【００４３】
また、図４に示す先端折曲部１３Ｇは、図５に示すように更に配管押圧支持部１３の表面に重積するように折曲加工された重積折曲部１３Ｈとすれば、前記先端折曲部１３Ｇに比べて押圧支持時の配管への負荷を軽減させつつ押圧支持効果を向上させることができる。
【００４４】
更に、図６に示すように、切起した配管押圧支持部１３の両側端が配管外周面側に湾曲加工された湾曲加工部を有し、この湾曲加工部の両端部１３Ｉ・１３Ｉが配管の外周面に引掛け又は食込み接触することによって押圧支持する構成とすることも好ましい。かかる構成によれば、配管の外周面に対して配管押圧支持部１３の湾曲加工部の両端部１３Ｉ・１３Ｉが引っ掛かるように又は食込むように押圧当接することになるので押圧支持効果を向上させることができる。
【００４５】
更に、切起した配管押圧支持部１３の両側端を配管側に折曲加工された両側折曲部１３Ｊ・１３Ｊを有し、この両側折曲部１３Ｊ・１３Ｊが配管の外周面に引掛け又は食込み接触することによって押圧支持する構成とすることも好ましい。かかる構成によれば、配管の外周面に対して配管押圧支持部１３の両側折曲部１３Ｊ・１３Ｊが引っ掛かるように又は食込むように押圧当接することになるので押圧支持効果を向上させることができる。
【００４６】
更に、配管押圧支持部１３が、図８に示すように切起した両側端１３Ｋ・１３Ｋを曲線とする構成とすることも好ましい（図１に示す実施例では直線である）。かかる構成によれば、配管押圧支持部１３の切起した両側端１３Ｋ・１３Ｋを曲線とした場合、図１に示す実施例の直線とした構成に比して該配管押圧支持部１３の撓み性がより大きくなるので、抱持する配管内を通過する液体の種類や流量、或いは通液条件（常時流れているのか、断続的に流れるのか等）に応じて、曲線とするか直線とするかを適宜選択することにより配管の振動に対する緩衝性を調整することが可能である。
【００４７】
更にまた、配管押圧支持部１３（１３Ａ・１３Ｂ・１３Ｃ・１３Ｄ）の各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【符号の説明】
【００４８】
１  配管支持具
１１  バンド抱持部
１１Ａ  被切起し孔部
１１Ｂ  被切起し孔部
１１Ｃ  被切起し孔部
１１Ｄ  被切起し孔部
１２  バンド端部
１３（１３Ａ・１３Ｂ・１３Ｃ・１３Ｄ）  配管押圧支持部
１３Ｅ  曲面加工部
１３Ｆ  折曲加工部
１３Ｇ  先端折曲部
１３Ｈ  重積折曲部
１３Ｉ  湾曲加工部の両端部
１３Ｊ  両側折曲部
１３Ｋ  両側端
２  ボルト・ナット
【図１】
2017032042.tif 000003
【図２】
2017032042.tif 000004
【図３】
2017032042.tif 000005
【図４】
2017032042.tif 000006
【図５】
2017032042.tif 000007
【図６】
2017032042.tif 000008
【図７】
2017032042.tif 000009
【図８】
2017032042.tif 000010
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
配管を抱持するバンド抱持部と、該バンド抱持部の上端部にバンド端部と、を有し、
前記バンド端部に、タンバックルの如き接続部材を接続することにより、天井から吊下支持或いは壁面に立て管支持する配管支持具において、
前記バンド抱持部に抱持される配管の外周面に当接して押圧支持する配管押圧支持部が、該バンド抱持部の４箇所に設けられており、
該配管押圧支持部は、前記バンド抱持部の一部を円周方向に延伸するように内側に向かって切起して形成されており、
しかも、この円周方向の４箇所の切起しの切起し長さ・切起し幅・切起し量が等しい構成であり、この切起し形成された配管押圧支持部が、隣接する該配管押圧支持部同士の切起し方向が反対向きとなる構成であり、且つ円周方向の方向線に対して５〜３０度の傾きを有している構成であること、
を特徴とする配管支持具。
【請求項２】
前記バンド抱持部が、弾性又は可撓性を有する１本の帯状バンド体を環状に彎曲させた構成であり、この１本の帯状バンド体の両端部に前記バンド端部が連設された構成であることを特徴とする請求項１に記載の配管吊下支持具。
【請求項３】
前記バンド抱持部が、２つの略半円状部材を組み合わせた構成であり、この２つの略半円状部材の上端部に前記バンド端部が連設されると共に、下端部を組式又は蝶番式の接続部により拡開可能に接続された構成であることを特徴とする請求項１に記載の配管吊下支持具。
【請求項４】
前記配管押圧支持部が、当接する配管の外周面の曲面に対応する曲面加工部を有して配管の外周面に面接触によって押圧支持する構成であることを特徴とする請求項１〜３のいずれかに記載の配管吊下支持具。
【請求項５】
前記配管押圧支持部が、波状又はジグザグ状に折曲加工された折曲加工部を有し、この折曲加工部が配管の外周面に複数の当接箇所によって押圧支持する構成であることを特徴とする請求項１〜３のいずれかに記載の配管吊下支持具。
【請求項６】
前記配管押圧支持部が、該配管押圧支持部の先端が配管側に折曲加工された先端折曲部を有し、この先端折曲部が配管の外周面に引掛け又は食込み接触することによって押圧支持する構成であることを特徴とする請求項１〜３のいずれかに記載の配管吊下支持具。
【請求項７】
前記先端折曲部が、配管押圧支持部の表面に重積するように折曲加工された重積折曲部を有し、この重積折曲部が配管押圧を行う構成であることを特徴とする請求項６に記載の配管吊下支持具。
【請求項８】
前記配管押圧支持部が、切起した両側端が配管外周面側に湾曲加工された湾曲加工部を有し、この湾曲加工部の両端部が配管の外周面に引掛け又は食込み接触することによって押圧支持する構成であることを特徴とする請求項１〜３のいずれかに記載の配管吊下支持具。
【請求項９】
前記配管押圧支持部が、切起した両側端が配管側に折曲加工された両側折曲部を有し、この両側折曲部が配管の外周面に引掛け又は食込み接触することによって押圧支持する構成であることを特徴とする請求項１〜３のいずれかに記載の配管吊下支持具。
【請求項１０】
前記配管押圧支持部が、切起した両側端が直線又は曲線であることを特徴とする請求項１〜９のいずれかに記載の配管吊下支持具。
【手続補正２】
【補正対象書類名】明細書
【補正対象項目名】０００９
【補正方法】変更
【補正の内容】
【０００９】
１．配管を抱持するバンド抱持部と、該バンド抱持部の上端部にバンド端部と、を有し、
前記バンド端部に、タンバックルの如き接続部材を接続することにより、天井から吊下支持或いは壁面に立て管支持する配管支持具において、
前記バンド抱持部に抱持される配管の外周面に当接して押圧支持する配管押圧支持部が、該バンド抱持部の４箇所に設けられており、
該配管押圧支持部は、前記バンド抱持部の一部を円周方向に延伸するように内側に向かって切起して形成されており、
しかも、この円周方向の４箇所の切起しの切起し長さ・切起し幅・切起し量が等しい構成であり、この切起し形成された配管押圧支持部が、隣接する該配管押圧支持部同士の切起し方向が反対向きとなる構成であり、且つ円周方向の方向線に対して５〜３０度の傾きを有している構成であること、
を特徴とする配管支持具。